(57)【要約】【課題】輝度ムラを抑制する。【解決手段】バックライト装置（照明装置）１２は、ＬＥＤ（光源）１７と、ＬＥＤ１７の周囲の少なくとも一部に設けられ、ＬＥＤ１７の設置面である実装面１８ｃに対して角度をなすよう傾斜する光反射面２２ａを有し、その光反射面２２ａがＬＥＤ１７側とは反対側を指向してなる指向性反射部２２と、を備える。ＬＥＤ１７の周囲に戻された光は、ＬＥＤ１７の周囲の少なくとも一部に設けられた指向性反射部２２が有する光反射面２２ａによってＬＥＤ１７の設置面である実装面１８ｃに対して光反射面２２ａが傾斜した角度に応じた角度付けがなされつつＬＥＤ１７側とは反対側に向けて反射されて、当該バックライト装置１２の出射光として利用される。【選択図】図７
2013143220.tif 000002
【特許請求の範囲】
【請求項１】
光源と、
前記光源の周囲の少なくとも一部に設けられ、前記光源の設置面に対して角度をなすよう傾斜する光反射面を有し、その光反射面が前記光源側とは反対側を指向してなる指向性反射部と、を備える照明装置。
【請求項２】
光を外部へと出射させる光出射部と、前記光源に対して前記光出射部側とは反対側に配されるとともに前記光源の設置面に沿って延在する底板とを有するシャーシが備えられている請求項１記載の照明装置。
【請求項３】
前記指向性反射部は、前記光源を取り囲む環状をなしている請求項２記載の照明装置。
【請求項４】
前記光源は、前記底板の面内において複数ずつ行列状に並列する形で配されており、
前記指向性反射部は、複数の前記光源毎に個別に設けられている請求項３記載の照明装置。
【請求項５】
前記光源を前記光出射部側から覆う形で配されるとともに前記光源からの光に光学作用を付与してその光を出射させる光学素子が備えられており、
前記指向性反射部は、前記底板と前記光学素子との間に介在する形で配されている請求項２から請求項４のいずれか１項に記載の照明装置。
【請求項６】
前記光学素子と前記光源の設置面との間には、前記光学素子を前記光源の設置面から前記光出射部側に離れた位置に支持する光学素子支持部が前記光学素子の周方向に沿って設けられており、
前記指向性反射部は、前記光源と前記光学素子支持部との間に位置して配されている請求項５記載の照明装置。
【請求項７】
前記光学素子は、前記光源からの光を拡散させて出射させる拡散レンズとされる請求項５または請求項６記載の照明装置。
【請求項８】
前記光出射部を覆う形で配されるとともに前記光源からの光に光学作用を付与してその光を出射させる光学部材が備えられている請求項２から請求項７のいずれか１項に記載の照明装置。
【請求項９】
前記底板に沿って延在するとともに前記光源が複数並んだ状態で実装される光源基板が備えられており、
前記指向性反射部は、前記光源基板における前記光源の実装面に設けられている請求項２から請求項８のいずれか１項に記載の照明装置。
【請求項１０】
前記指向性反射部は、前記光源基板の前記実装面から突出する形態とされる請求項９記載の照明装置。
【請求項１１】
前記指向性反射部は、前記光源基板とは別部品とされていて前記実装面に取り付けられている請求項１０記載の照明装置。
【請求項１２】
前記指向性反射部の前記光反射面には、光を鏡面反射させる鏡面反射層が形成されている請求項１から請求項１１のいずれか１項に記載の照明装置。
【請求項１３】
請求項１から請求項１２のいずれか１項に記載の照明装置と、前記照明装置からの光を利用して表示を行う表示パネルとを備える表示装置。
【請求項１４】
前記表示パネルは、一対の基板間に液晶を封入してなる液晶パネルとされる請求項１３記載の表示装置。
【請求項１５】
請求項１３または請求項１４に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される光源と、シャーシ内に配されて光をシャーシの開口部側に反射させる反射シートと、シャーシの開口部に配されて光源が発する光を効率的に液晶パネル側へ放出させるための光学部材（拡散シート等）とを備える。
【０００３】
上記したバックライト装置の構成部品のうち、光源として例えばＬＥＤを用いる場合があり、その場合には、シャーシ内にＬＥＤを実装したＬＥＤ基板を収容する。さらには、ＬＥＤから発せられた光は、強い指向性を持つ傾向にあるため、その指向性を緩和することを目的として、ＬＥＤ基板に対して各ＬＥＤに対応して個別に拡散レンズを取り付ける場合がある。なお、ＬＥＤ及び拡散レンズを用いたバックライト装置の一例として下記特許文献１に記載されたものが知られている。
【先行技術文献】
【特許文献】
【０００４】
【特許文献１】特開２０１１−９０９７７号公報
【発明の概要】
【発明が解決しようとする課題】
【０００５】
上記したようにＬＥＤからの光は、拡散レンズによって拡散されることでその指向性が緩和されているものの、液晶表示装置の薄型化が進行して拡散レンズから光学部材までの距離が短くなると、ＬＥＤからの光の指向性を十分に緩和できなくなり、結果としてバックライト装置からの出射光に輝度ムラが生じるおそれがあった。
【０００６】
本発明は上記のような事情に基づいて完成されたものであって、輝度ムラを抑制することを目的とする。
【課題を解決するための手段】
【０００７】
本発明の照明装置は、光源と、前記光源の周囲の少なくとも一部に設けられ、前記光源の設置面に対して角度をなすよう傾斜する光反射面を有し、その光反射面が前記光源側とは反対側を指向してなる指向性反射部と、を備える。
【０００８】
このようにすれば、光源から発せられた光には、そのまま当該照明装置の出射光として利用されるもの以外にも、例えば他の部材に当たって反射されるなどすることで、光源の周囲へと戻されるものが存在する。この光源の周囲に戻された光は、光源の周囲の少なくとも一部に設けられた指向性反射部が有する光反射面によって光源の設置面に対して光反射面が傾斜した角度に応じた角度付けがなされつつ光源側とは反対側に向けて反射されて、当該照明装置の出射光として利用される。これにより、上記した指向性反射部による反射光と光源からの直接光とを利用した当該照明装置の出射光に輝度ムラが生じ難くなる。
【０００９】
本発明の実施態様として、次の構成が好ましい。
（１）光を外部へと出射させる光出射部と、前記光源に対して前記光出射部側とは反対側に配されるとともに前記光源の設置面に沿って延在する底板とを有するシャーシが備えられている。このようにすれば、光源から発せられた光は、直接または指向性反射部の光反射面にて反射されることでシャーシの光出射部に達し、そこから外部へと出射される。ここで、底板から光出射部までの距離が短くなるほど、光出射部からの出射光には輝度ムラが生じ易くなる傾向にあるものの、指向性反射部による反射光が角度付けされつつ光源側とは反対側に向かって進行することで輝度ムラが抑制されているから、当該照明装置の薄型化を図る上で好適である。
【００１０】
（２）前記指向性反射部は、前記光源を取り囲む環状をなしている。このようにすれば、指向性反射部の光反射面によって反射された光は、光源側とは反対側に向けて放射状に広がるよう拡散されるから、シャーシの光出射部からの出射光に一層輝度ムラが生じ難くなる。
【００１１】
（３）前記光源は、前記底板の面内において複数ずつ行列状に並列する形で配されており、前記指向性反射部は、複数の前記光源毎に個別に設けられている。このようにすれば、底板の面内において複数ずつ行列状に並列する形で配された各光源から発せられた光の一部が、各光源毎に個別に設けられた各指向性反射部によって反射されることで、隣り合う光源間に暗部が生じ難くなり、光出射部からの出射光により一層輝度ムラが生じ難くなる。
【００１２】
（４）前記光源を前記光出射部側から覆う形で配されるとともに前記光源からの光に光学作用を付与してその光を出射させる光学素子が備えられており、前記指向性反射部は、前記底板と前記光学素子との間に介在する形で配されている。このようにすれば、光源を点灯させると、光源をその光出射側から覆う形で配される光学素子によって光源からの光に光学作用が付与されてから光出射部へと出射される。光源からの光には、光学素子にて反射されて光源の周囲に戻されるものも存在しているが、その光を底板と光学素子との間に介在する形で配される指向性反射部によって反射させて、その反射光を角度付けしつつ光源側とは反対側に向かって進行させることができるから、当該照明装置の出射光に輝度ムラが生じ難いものとされる。
【００１３】
（５）前記光学素子と前記光源の設置面との間には、前記光学素子を前記光源の設置面から前記光出射部側に離れた位置に支持する光学素子支持部が前記光学素子の周方向に沿って設けられており、前記指向性反射部は、前記光源と前記光学素子支持部との間に位置して配されている。このようにすれば、光学素子支持部によって光学素子を光源の設置面から光出射部側に離れた位置に支持することができるから、光学素子の光学的機能を十分に発揮させることができる。その上で、指向性反射部を光源と光学素子支持部との間に位置する配置としているから、仮に指向性反射部を光学素子支持部に対して光源側とは反対側に配置した場合に比べると、光源から指向性反射部までの距離がより近くなる。これにより、光源から光を指向性反射部の光反射面によってより多く反射させることができ、もって輝度ムラの抑制に一層好適となる。
【００１４】
（６）前記光学素子は、前記光源からの光を拡散させて出射させる拡散レンズとされる。このようにすれば、光源からの光を、光学素子である拡散レンズによって拡散させつつ出射させることができる。指向性反射部によって拡散レンズから光源の周囲に戻された光に角度付けしつつ光源側とは反対側に向かわせることができるのも相まって、当該照明装置の出射光に輝度ムラが一層生じ難くなる。
【００１５】
（７）前記光出射部を覆う形で配されるとともに前記光源からの光に光学作用を付与してその光を出射させる光学部材が備えられている。このようにすれば、光源を点灯させると、光出射部を覆う形で配される光学部材によって光源からの光に光学作用が付与されてから外部へと出射される。光源からの光には、光学部材にて反射されて光源の周囲に戻されるものも存在しているが、その光を指向性反射部によって反射することで、その反射光を角度付けしつつ光源側とは反対側に向かわせることができるから、当該照明装置の出射光に輝度ムラが生じ難いものとされる。
【００１６】
（８）前記底板に沿って延在するとともに前記光源が複数並んだ状態で実装される光源基板が備えられており、前記指向性反射部は、前記光源基板における前記光源の実装面に設けられている。このようにすれば、光源からの光に光源基板における光源の周囲に戻されるものが存在していても、その光を実装面に設けられた指向性反射部によって反射させることで、その反射光を角度付けしつつ光源側とは反対側に向かわせることができ、もって当該照明装置の出射光に輝度ムラが生じ難くすることができる。
【００１７】
（９）前記指向性反射部は、前記光源基板の前記実装面から突出する形態とされる。このようにすれば、仮に光源基板における実装面を凹ませることで指向性反射部を形成した場合に比べると、光源基板の板厚が薄くなることが避けられるので、光源基板の強度が低下するのを防ぐことができる。
【００１８】
（１０）前記指向性反射部は、前記光源基板とは別部品とされていて前記実装面に取り付けられている。このようにすれば、仮に光源基板に指向性反射部を一体形成した場合には専用設計の光源基板を製造する必要があるが、指向性反射部を光源基板とは別部品とすれば、光源基板として汎用的なものを用いることが可能となり、それにより製造コストを低減することができる。また、指向性反射部に用いる材料などを自由に選択することができるので、例えば指向性反射部の光反射率を容易に高くすることが可能となる。
【００１９】
（１１）前記指向性反射部の前記光反射面には、光を鏡面反射させる鏡面反射層が形成されている。このようにすれば、指向性反射部の光反射面に形成した鏡面反射層によって光を鏡面反射させているので、仮に光反射面にて光を拡散反射させた場合に比べると、反射光をより適切に角度付けすることができ、それにより輝度ムラの抑制に一層好適となる。
【００２０】
次に、上記課題を解決するために、本発明の表示装置は、上記記載の照明装置と、前記照明装置からの光を利用して表示を行う表示パネルとを備える。
【００２１】
このような表示装置によると、表示パネルに対して光を供給する照明装置が、出射光に輝度ムラが生じ難いものであるため、表示品質の優れた表示を実現することが可能となる。
【００２２】
前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００２３】
本発明によれば、輝度ムラを抑制することができる。
【図面の簡単な説明】
【００２４】
【図１】本発明の実施形態１に係るテレビ受信装置の概略構成を示す分解斜視図
【図２】液晶表示装置の概略構成を示す分解斜視図
【図３】液晶表示装置に備わるバックライト装置におけるシャーシと反射シートとＬＥＤ基板との配置構成を示す平面図
【図４】図３のiv-iv線断面図
【図５】図３のv-v線断面図
【図６】反射シートを外した状態のシャーシ内に拡散レンズを外した状態のＬＥＤ基板を収容した状態を示す拡大平面図
【図７】図６のvii-vii線断面図
【図８】本発明の実施形態２に係る指向性反射部の断面構成を示す断面図
【図９】本発明の実施形態３に係る指向性反射部の断面構成を示す断面図
【図１０】本発明の実施形態４に係る指向性反射部の断面構成を示す断面図
【図１１】本発明の実施形態５に係る指向性反射部の断面構成を示す断面図
【図１２】本発明の実施形態６に係る指向性反射部の断面構成を示す断面図
【図１３】本発明の実施形態７に係る指向性反射部の断面構成を示す断面図
【図１４】本発明の実施形態８に係る指向性反射部の断面構成を示す断面図
【図１５】本発明の実施形態９に係る液晶表示装置の概略構成を示す分解斜視図
【図１６】液晶表示装置の短辺方向に沿った断面構成を示す断面図
【図１７】シャーシ、導光板、ＬＥＤ基板などの配置構成を示す拡大平面図
【図１８】ＬＥＤ基板の拡大正面図
【発明を実施するための形態】
【００２５】
＜実施形態１＞
本発明の実施形態１を図１から図７によって説明する。本実施形態では、液晶表示装置１０について例示する。なお、各図面の一部にはＸ軸、Ｙ軸及びＺ軸を示しており、各軸方向が各図面で示した方向となるように描かれている。また、図４及び図５に示す上側を表側とし、同図下側を裏側とする。
【００２６】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長（長手）の方形状（矩形状、長方形状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００２７】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００２８】
続いて、バックライト装置１２について詳しく説明する。バックライト装置１２は、図２に示すように、表側（光出射側、液晶パネル１１側）に開口する光出射部１４ｂを有した略箱型をなすシャーシ１４と、シャーシ１４の光出射部１４ｂを覆うようにして配される光学部材１５と、シャーシ１４の外縁部に沿って配され光学部材１５の外縁部をシャーシ１４との間で挟んで保持するフレーム１６とを備える。さらに、シャーシ１４内には、光源であるＬＥＤ１７（Light Emitting Diode：発光ダイオード）と、ＬＥＤ１７が実装されたＬＥＤ基板（光源基板）１８と、ＬＥＤ基板１８においてＬＥＤ１７に対応した位置に取り付けられる拡散レンズ（光学素子）１９とが備えられる。その上、シャーシ１４内には、ＬＥＤ基板１８をシャーシ１４との間で保持することが可能な基板保持部材２０と、シャーシ１４内の光を表側（光出射側、光学部材１５側）に向けて反射させる反射シート（反射部材）２１とが備えられる。このように、本実施形態に係るバックライト装置１２は、シャーシ１４内において液晶パネル１１及び光学部材１５の直下位置にＬＥＤ１７が配された、いわゆる直下型とされる。以下では、バックライト装置１２の各構成部品について詳しく説明する。
【００２９】
シャーシ１４は、例えばアルミニウム板や電気亜鉛めっき綱板（ＳＥＣＣ）などの金属板からなり、図３から図５に示すように、液晶パネル１１と同様に横長な方形状（矩形状、長方形状）をなす底板１４ａと、底板１４ａの各辺（一対の長辺及び一対の短辺）の外端からそれぞれ表側（光出射側）に向けて立ち上がる側板１４ｃと、各側板１４ｃの立ち上がり端から外向きに張り出す受け板１４ｄとからなり、全体としては表側に向けて開口した浅い略箱型（略浅皿状）をなしている。シャーシ１４は、その長辺方向がＸ軸方向と一致し、短辺方向がＹ軸方向と一致している。シャーシ１４における底板１４ａは、ＬＥＤ基板１８に対して裏側、つまりＬＥＤ１７の光出射側とは反対側に配されている。シャーシ１４における各受け板１４ｄには、表側からフレーム１６及び次述する光学部材１５が載置可能とされる。各受け板１４ｄには、フレーム１６がねじ止めされている。シャーシ１４の底板１４ａには、基板保持部材２０を取り付けるための取付孔１４ｅが開口して設けられている。取付孔１４ｅは、底板１４ａにおいて基板保持部材２０の取付位置に対応して複数分散配置されている。
【００３０】
光学部材１５は、図２に示すように、液晶パネル１１及びシャーシ１４と同様に平面に視て横長の方形状をなしている。光学部材１５は、図４及び図５に示すように、その外縁部が受け板１４ｄに載せられることで、シャーシ１４の光出射部１４ｂを覆うとともに、液晶パネル１１とＬＥＤ１７との間に介在して配される。光学部材１５は、ＬＥＤ１７に対して表側、つまり光出射側に所定の間隔を空けて対向状をなしている。光学部材１５は、裏側（ＬＥＤ１７側、光出射側とは反対側）に配される拡散板１５ａと、表側（液晶パネル１１側、光出射側）に配される光学シート１５ｂとから構成される。拡散板１５ａは、所定の厚みを持つほぼ透明な樹脂製の基材内に拡散粒子を多数分散して設けた構成とされ、透過する光を拡散させる機能を有する。光学シート１５ｂは、拡散板１５ａと比べると板厚が薄いシート状をなしており、２枚が積層して配されている。具体的な光学シート１５ｂの種類としては、例えば拡散シート、レンズシート、反射型偏光シートなどがあり、これらの中から適宜に選択して使用することが可能である。
【００３１】
フレーム１６は、図２に示すように、液晶パネル１１及び光学部材１５の外周縁部に沿う枠状をなしている。このフレーム１６と各受け板１４ｄとの間で光学部材１５における外縁部を挟持可能とされている（図４及び図５）。また、このフレーム１６は、液晶パネル１１における外縁部を裏側から受けることができ、表側に配されるベゼル１３との間で液晶パネル１１の外縁部を挟持可能とされる（図４及び図５）。
【００３２】
次に、ＬＥＤ１７及びＬＥＤ１７が実装されるＬＥＤ基板１８について説明する。ＬＥＤ１７は、図４及び図５に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、それにより、このＬＥＤ１７は、全体として白色発光が可能とされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の頂面（光学部材１５との対向面）が発光面となる、いわゆる頂面発光型とされており、図７に示すように、その光軸ＬＡがＺ軸方向、つまりＬＥＤ基板１８における実装面１８ｃ（液晶パネル１１の表示面、光学部材１５の板面）と直交する方向と一致するよう配されている。図７では光軸ＬＡを一点鎖線にて図示している。なお、ここで言う「光軸」とは、ＬＥＤ１７における発光光のうち、発光強度が最も高い（ピークとなる）光の進行方向と一致する軸のことである。
【００３３】
ＬＥＤ基板１８は、図３及び図４に示すように、平面に視て横長の方形状をなす基材を有しており、長辺方向がＸ軸方向と一致し、短辺方向がＹ軸方向と一致する状態でシャーシ１４内において底板１４ａに沿って延在しつつ収容されている。ＬＥＤ基板１８の基材は、シャーシ１４と同じアルミ系材料などの金属製とされ、その表面に絶縁層を介して銅箔などの金属膜からなる図示しない配線パターンが形成された構成とされる。なお、ＬＥＤ基板１８の基材に用いる材料としては、セラミックなどの絶縁材料を用いることも可能である。そして、このＬＥＤ基板１８の基材の板面のうち、表側を向いた面（光学部材１５側を向いた面）には、上記した構成のＬＥＤ１７が表面実装されており、ここがＬＥＤ１７の実装面（設置面）１８ｃとされる。ＬＥＤ１７は、ＬＥＤ基板１８における長辺方向（Ｘ軸方向）に沿って複数が直線的に並列して配されるとともに、ＬＥＤ基板１８に形成された配線パターンにより直列接続されている。各ＬＥＤ１７の配列ピッチは、ほぼ一定となっており、つまり各ＬＥＤ１７は、Ｘ軸方向（行方向）について等間隔に配列されていると言える。また、ＬＥＤ基板１８における長辺方向の両端部には、配線パターンの端部に接続されたコネクタ部１８ａが形成されており、このコネクタ部１８ａが外部のＬＥＤ駆動基板（図示せず）に電線やフレキシブル配線基板などを介して接続されることで、駆動電力を各ＬＥＤ１７に供給することが可能とされている。また、ＬＥＤ基板１８には、基板保持部材２０を通すための挿通孔１８ｂが所定位置に貫通形成されている。
【００３４】
上記した構成のＬＥＤ基板１８は、図３に示すように、シャーシ１４内においてＸ軸方向及びＹ軸方向にそれぞれ複数ずつ、互いに長辺方向及び短辺方向を揃えた状態で並列して配置されている。つまり、ＬＥＤ基板１８及びそこに実装されたＬＥＤ１７は、シャーシ１４内において共にＸ軸方向（シャーシ１４及びＬＥＤ基板１８の長辺方向）を行方向とし、Ｙ軸方向（シャーシ１４及びＬＥＤ基板１８の短辺方向）を列方向として行列状に配置（マトリクス状に配置、平面配置）されている。具体的には、ＬＥＤ基板１８は、シャーシ１４内においてＸ軸方向に３枚ずつ、Ｙ軸方向に９枚ずつ、合計２７枚が並列して配置されている。Ｘ軸方向に沿って並んだ３枚のＬＥＤ基板１８は、互いに隣り合うコネクタ部１８ａ同士が接続されることで、それぞれが有するＬＥＤ１７が互いに直列に接続される。つまり、Ｘ軸方向に沿って並ぶ３枚のＬＥＤ基板１８によって１つのＬＥＤ基板群（光源基板群）が構成されており、シャーシ１４の底板１４ａの面内には、ＬＥＤ基板群がＹ軸方向（ＬＥＤ基板群を構成するＬＥＤ基板１８の並び方向と略直交する方向）に沿って複数（９つ）間欠的に並んで配されている。各ＬＥＤ基板群には、図示しないＬＥＤ駆動回路基板から個別に駆動電力が供給されるようになっており、それにより各ＬＥＤ基板群毎に輝度を異ならせる駆動を実現することが可能とされる。
【００３５】
拡散レンズ１９は、ほぼ透明で（高い透光性を有し）且つ屈折率が空気よりも高い合成樹脂材料（例えばポリカーボネートやアクリルなど）からなる。拡散レンズ１９は、図４及び図５に示すように、所定の厚みを有するとともに、平面に視て略円形状に形成されており、ＬＥＤ基板１８に対して各ＬＥＤ１７を表側から個別に覆うよう、つまり平面に視て各ＬＥＤ１７と重畳するようそれぞれ取り付けられている。そして、この拡散レンズ１９は、ＬＥＤ１７から発せられた指向性の強い光を拡散させつつ出射させることができる。つまり、ＬＥＤ１７から発せられた光は、拡散レンズ１９を介することにより指向性が緩和されるので、隣り合うＬＥＤ１７間の間隔を広くとってもその間の領域が暗部として視認され難くなる。これにより、ＬＥＤ１７の設置個数を少なくすることが可能となっている。この拡散レンズ１９は、平面に視てＬＥＤ１７とほぼ同心となる位置に配されている。
【００３６】
この拡散レンズ１９のうち、裏側を向き、ＬＥＤ基板１８（ＬＥＤ１７）と対向する面がＬＥＤ１７からの光が入射される光入射面１９ａとされるのに対し、表側を向き、光学部材１５と対向する面が光を出射する光出射面１９ｂとされる。このうち、光入射面１９ａは、図７に示すように、全体としてはＬＥＤ基板１８の板面（Ｘ軸方向及びＹ軸方向）に沿って並行する形態とされるものの、平面に視てＬＥＤ１７と重畳する領域に光入射側凹部１９ｃが形成されることでＬＥＤ１７の光軸ＬＡに対して傾斜した傾斜面を有している。光入射側凹部１９ｃは、断面逆Ｖ字型の略円錐状をなすとともに拡散レンズ１９においてほぼ同心位置に配されている。ＬＥＤ１７から発せられて光入射側凹部１９ｃ内に入った光は、傾斜面によって広角に屈折されつつ拡散レンズ１９に入射する。光入射面１９ａからは、ＬＥＤ基板１８に対する取付構造であるレンズ支持部（光学素子支持部）１９ｄが裏側に向けて突出する形で設けられており、このレンズ支持部１９ｄがＬＥＤ基板１８の実装面１８ｃに対して接着剤などによって固着されている。レンズ支持部１９ｄは、断面形状が略円形状となる略円柱状をなしており、拡散レンズ１９のうち外周端位置よりもやや内寄りの位置に配されている（図６を参照）。レンズ支持部１９ｄは、拡散レンズ１９の中心位置からの距離がほぼ等しい位置に３つ、拡散レンズ１９の周方向に沿って間欠的に並んで配されており、その角度間隔がほぼ等しく、約１２０度とされる。このレンズ支持部１９ｄにより、拡散レンズ１９は、その本体部分（光入射面１９ａや光出射面１９ｂを有する円盤状部分）がＬＥＤ基板１８の表側に離れた位置に支持される。光出射面１９ｂは、扁平な略球面状に形成されており、それにより、拡散レンズ１９から出射する光を広角に屈折させつつ出射させることが可能とされる。この光出射面１９ｂのうち平面に視てＬＥＤ１７と重畳する領域には、略擂鉢状をなす光出射側凹部１９ｅが形成されている。この光出射側凹部１９ｅにより、ＬＥＤ１７からの光の多くを広角に屈折させつつ出射させたり、或いはＬＥＤ１７からの光の一部をＬＥＤ基板１８側に反射させることができる。
【００３７】
基板保持部材２０は、ポリカーボネートなどの合成樹脂製とされており、表面が光の反射性に優れた白色を呈する。基板保持部材２０は、図４及び図５に示すように、ＬＥＤ基板１８の板面に沿う本体部２０ａと、本体部２０ａから裏側、つまりシャーシ１４側に向けて突出してシャーシ１４に固定される固定部２０ｂとを備える。本体部２０ａは、平面に視て略円形の板状をなすとともに、シャーシ１４の底板１４ａとの間でＬＥＤ基板１８及び次述する反射シート２１を共に挟持可能とされる。固定部２０ｂは、ＬＥＤ基板１８及びシャーシ１４の底板１４ａにおける基板保持部材２０の取付位置に対応してそれぞれ形成された挿通孔１８ｂ及び取付孔１４ｅを貫通しつつ底板１４ａに対して係止可能とされる。この基板保持部材２０は、図３に示すように、ＬＥＤ基板１８の面内において多数個が行列状に並列配置されており、具体的にはＸ軸方向について隣り合う拡散レンズ１９（ＬＥＤ１７）の間の位置にそれぞれ配されている。
【００３８】
なお、基板保持部材２０のうち、画面中央側に配された一対の基板保持部材２０には、図２から図４に示すように、本体部２０ａから表側に突出する支持部２０ｃが設けられており、この支持部２０ｃによって拡散板１５ａを裏側から支持することが可能とされ、それによりＬＥＤ１７と光学部材１５とのＺ軸方向の位置関係を一定に維持することができるとともに光学部材１５の不用意な変形を規制することができる。
【００３９】
反射シート２１は、合成樹脂製とされ、表面が光の反射性に優れた白色を呈するものとされる。反射シート２１は、図３から図５に示すように、シャーシ１４の内面のほぼ全域にわたって敷設される大きさを有しているので、シャーシ１４内に配されたＬＥＤ基板１８をほぼ全域にわたって表側（光出射側、光学部材１５側）から覆うことが可能とされる。この反射シート２１によりシャーシ１４内の光を表側（光出射側、光学部材１５側）に向けて反射させることができるようになっている。反射シート２１は、ＬＥＤ基板１８（底板１４ａ）に沿って延在するとともに各ＬＥＤ基板１８を一括してそのほぼ全域を覆う大きさの底部２１ａと、底部２１ａの各外端から表側に立ち上がるとともに底部２１ａに対して傾斜状をなす４つの立ち上がり部２１ｂと、各立ち上がり部２１ｂの外端から外向きに延出するとともにシャーシ１４の受け板１４ｄに載せられる延出部２１ｃとから構成されている。この反射シート２１の底部２１ａが各ＬＥＤ基板１８における表側の面、つまりＬＥＤ１７の実装面１８ａに対して表側に重なるよう配される。また、反射シート２１の底部２１ａには、図７に示すように、各拡散レンズ１９（各ＬＥＤ１７）と平面視重畳する位置に各拡散レンズ１９（各ＬＥＤ１７）を個別に挿通するレンズ挿通孔（光源挿通孔）２１ｄが開口して設けられている。このレンズ挿通孔２１ｄは、各ＬＥＤ１７の配置に対応してＸ軸方向及びＹ軸方向について行列状（マトリクス状）に複数が並列配置されている。
【００４０】
上記したように本実施形態に係るＬＥＤ基板１８には、実装されたＬＥＤ１７を表側から個別に覆う形で拡散レンズ１９が取り付けられており、この拡散レンズ１９によってＬＥＤ１７から発せられた光の指向性を緩和することができる。ところが、液晶表示装置１０の薄型化を図るよう要請があった場合、拡散レンズ１９から光学部材１５（光出射部１４ｂ）までの距離を短くすると、拡散レンズ１９のみではＬＥＤ１７からの光の指向性を十分に緩和できなくなり、結果としてバックライト装置１２から液晶パネル１１に照射される照明光に輝度ムラが生じるおそれがあった。
【００４１】
そこで、本実施形態に係るＬＥＤ基板１８におけるＬＥＤ１７の実装面１８ｃには、図７に示すように、ＬＥＤ１７からの光の指向性を緩和するために指向性反射部２２が設けられている。指向性反射部２２は、ＬＥＤ基板１８におけるＬＥＤ１７の実装面１８ｃにおいてＬＥＤ１７の周囲に配されるとともに、ＬＥＤ基板１８の実装面１８ｃに対して所定の角度をなすよう傾斜した光反射面２２ａを有しており、この光反射面２２ａがＬＥＤ１７側とは反対側を指向するものとされる。指向性反射部２２の光反射面２２ａは、ＬＥＤ１７から発せられてＬＥＤ基板１８におけるＬＥＤ１７の実装面１８ｃ側に戻された光を反射し、その反射光に光反射面２２ａがＬＥＤ基板１８の実装面１８ｃに対してなす角度に応じた角度付けをすることができる。これにより、光反射面２２ａにて反射された光をＬＥＤ１７側とは反対側（光軸ＬＡに交わることなく光軸ＬＡから遠ざかる方向）へと進行させることができ、もって液晶表示装置１０を薄型化した場合でもバックライト装置１２からの出射光に輝度ムラが生じ難くすることができる。この指向性反射部２２は、シャーシ１４の底板１４ａの面内において複数ずつ行列状に並列配置された各ＬＥＤ１７毎に個別に設けられているので、各指向性反射部２２によって各ＬＥＤ１７からの光がそれぞれ放射状に反射されることで、隣り合うＬＥＤ１７間に暗部が生じ難くなっている。以下、指向性反射部２２の詳しい構成について説明する。
【００４２】
指向性反射部２２は、図６に示すように、ＬＥＤ基板１８におけるＬＥＤ１７の実装面１８ｃにおいてＬＥＤ１７の周りを全周にわたって取り囲むよう、平面に視て（光出射側から視て）略円環状（ドーナツ状）に形成されており、光反射面２２ａも同様の形状とされる。従って、指向性反射部２２の光反射面２２ａにて反射された光は、ＬＥＤ１７側とは反対側に向けて放射状に広がるように拡散されることになる。指向性反射部２２は、ＬＥＤ基板１８の実装面１８ｃにおいてＬＥＤ１７と拡散レンズ１９におけるレンズ支持部１９ｄとの間に挟まれる位置に配されている。つまり、指向性反射部２２は、レンズ支持部１９ｄよりもＬＥＤ１７（光軸ＬＡ）に近い位置に配されている、と言える。なお、図６では、拡散レンズ１９及びそのレンズ支持部１９ｄを二点鎖線にて図示している。
【００４３】
指向性反射部２２は、図７に示すように、ＬＥＤ基板１８とは別部品とされていてその実装面１８ａに接着材などの固着部材を介して一体的に取り付けられている。指向性反射部２２は、合成樹脂製とされ、その表面が光の反射性に優れた白色を呈するものとされる。指向性反射部２２は、ＬＥＤ基板１８（シャーシ１４の底板１４ａ）と拡散レンズ１９との間に介在する形で配されている。言い換えると、指向性反射部２２は、拡散レンズ１９によって表側から全域にわたって覆われている。指向性反射部２２は、ＬＥＤ基板１８におけるＬＥＤ１７の実装面１８ｃから表側、つまりＬＥＤ１７と同方向に突出する形態とされている。指向性反射部２２は、その頂部が拡散レンズ１９の光入射面１９ａよりも低くなっており、頂部が拡散レンズ１９の光入射側凹部１９ｃ内に進入する高さを有するＬＥＤ１７よりも低くなっている。
【００４４】
指向性反射部２２は、その幅及び高さが全周にわたって一定とされていて、ＬＥＤ１７を挟み込む形で配される一対の部分の断面形状が対称形状となっている。指向性反射部２２は、その断面形状が略三角形状をなしている。指向性反射部２２は、一対の外面がＬＥＤ基板１８の実装面１８ｃ及びＬＥＤ１７の光軸ＬＡの双方に対してそれぞれ傾斜しており、そのうち相対的に外側（ＬＥＤ１７から遠い側）に配された外面が上記した光反射面２２ａを構成している。光反射面２２ａは、ＬＥＤ基板１８の実装面１８ｃからの高さがＬＥＤ１７（光軸ＬＡ）に近づく方向に向かうのに従って次第に高くなるのに対し、逆にＬＥＤ１７から遠ざかる方向に向かうのに従って次第に低くなって実装面１８ａに至るような傾斜面とされている。光反射面２２ａは、ＬＥＤ１７及び拡散レンズ１９の径方向（中心と外周端とを結んだ線に沿う方向）について、ＬＥＤ１７側とは反対側を指向しており、具体的にはＬＥＤ１７とは非対向状をなしつつ斜め表側を向いている。光反射面２２ａと拡散レンズ１９の光入射面１９ａとの間の間隔は、ＬＥＤ１７に近づく方向に向かうのに従って次第に小さくなるのに対し、逆にＬＥＤ１７から遠ざかる方向に向かうのに従って次第に大きくなっている。この光反射面２２ａは、次述する第２光反射面２２ｂに比べると、ＬＥＤ基板１８の実装面１８ａに対してなす角度（傾斜角度）が小さくなっており、相対的に緩やかな勾配を有している。従って、光反射面２２ａは、その幅寸法及び面積が第２光反射面２２ｂよりも相対的に大きくなっている。
【００４５】
また、指向性反射部２２における一対の外面のうち、相対的に内側（ＬＥＤ１７に近い側）に配された外面は、図７に示すように、ＬＥＤ１７及び拡散レンズ１９の径方向についてＬＥＤ１７側を指向する第２光反射面２２ｂとされる。この第２光反射面２２ｂによる反射光は、ＬＥＤ１７側（光軸ＬＡに交わるよう光軸ＬＡに近づく方向）へと進行されるようになっている。第２光反射面２２ｂは、ＬＥＤ基板１８の実装面１８ｃからの高さがＬＥＤ１７から遠ざかる方向に向かうのに従って次第に高くなるのに対し、逆にＬＥＤ１７に近づく方向に向かうのに従って次第に低くなって実装面１８ａに至るような傾斜面とされている。第２光反射面２２ｂは、ＬＥＤ１７とは対向状をなしつつ斜め表側を向いている。第２光反射面２２ｂは、上記した光反射面２２ａに比べると、ＬＥＤ基板１８の実装面１８ａに対してなす角度（傾斜角度）が大きくなっており、相対的に急な勾配を有している。従って、第２光反射面２２ｂは、その幅寸法及び面積が光反射面２２ａよりも相対的に小さくなっている。
【００４６】
本実施形態は以上のような構造であり、続いてその作用を説明する。液晶表示装置１０を製造するには、それぞれ別途に製造した液晶パネル１１、バックライト装置１２及びベゼル１３などを組み付けるようにする。以下、バックライト装置１２の製造手順を主として液晶表示装置１０の製造手順について説明する。
【００４７】
バックライト装置１２の製造に際しては、先行してＬＥＤ基板１８にＬＥＤ１７及び拡散レンズ１９を実装するとともに、指向性反射部２２を取り付けておく。その手順としては、ＬＥＤ基板１８の実装面１８ｃにＬＥＤ１７を実装した後に指向性反射部２２を取り付け、その後に拡散レンズ１９を実装する。具体的なバックライト装置１２の組み付け作業では、上記のようにしてユニット化したＬＥＤ基板１８をシャーシ１４内に表側から収容した後、反射シート２１を敷設し、それから基板保持部材２０を取り付けることで、各ＬＥＤ基板１８及び反射シート２１をシャーシ１４に対して取付状態に保持する。その後、シャーシ１４の光出射部１４ｂを覆う形で各光学部材１５を積層配置してから、フレーム１６を取り付けることで、光学部材１５の保持を図るとともに、バックライト装置１２における表側の各部品の組み付けが完了する。それから、液晶パネル１１及びベゼル１３を組み付けることで、液晶表示装置１０における表側の各部品の組み付けが完了する。
【００４８】
上記のようにして製造された液晶表示装置１０の電源ＰをＯＮすると、図４及び図５に示すように、電源Ｐからの電力供給を受けて、図示しないＬＥＤ駆動基板から電線やフレキシブル配線基板などを介して各ＬＥＤ基板１８に実装された各ＬＥＤ１７に駆動電力が供給されて点灯されるとともに、図示しないコントロール基板から液晶表示用の各種信号が液晶パネル１１に供給される。各ＬＥＤ１７から発せられた光は、拡散レンズ１９に入射されてから、広角に屈折されつつ出射されることで、光学部材１５に対してムラなく直接的に照射され、また反射シート２１によって反射されてから光学部材１５に照射される。光学部材１５に照射された光は、光学部材１５を透過する過程で所定の光学作用（拡散作用や集光作用など）を付与される。そして、光学部材１５を透過した光が液晶パネル１１に照射されることで、液晶パネル１１の表示面に所定の画像が表示されるようになっている。
【００４９】
拡散レンズ１９の作用について詳しく説明する。ＬＥＤ１７から発せられた光は、図７に示すように、まず拡散レンズ１９の光入射面１９ａに入射する。このとき、光の大半は、光入射面１９ａのうち光入射側凹部１９ｃにおける傾斜面に入射することで、その傾斜角度に応じて広角に屈折されつつ拡散レンズ１９内に入射する。そして、入射した光は、拡散レンズ１９内を伝播した後、光出射面１９ｂから出射されるのであるが、この光出射面１９ｂは、扁平な略球面状をなしているので、外部の空気層との界面にて光がさらに広角に屈折されつつ出射される。しかも、光出射面１９ｂのうちＬＥＤ１７からの光量が最も多くなる領域には、略擂鉢状をなす光出射側凹部１９ｅが形成され、且つその周面が扁平な略球面状をなしているので、光出射側凹部１９ｅの周面にて光を広角に屈折させつつ出射させたり、或いはＬＥＤ基板１８側に反射させることができる。このように、ＬＥＤ１７から発せられた指向性の強い光を、拡散レンズ１９により広角に拡散させることができるので、光学部材１５に達した光における、光学部材１５の面内の分布を均一なものとすることができる。
【００５０】
ところが、液晶表示装置１０を薄型化した場合には、拡散レンズ１９から光学部材１５までの距離が短くなるため、拡散レンズ１９のみではＬＥＤ１７からの光の指向性を十分に緩和できなくなり、例えば光学部材１５のうちＬＥＤ１７の直上に位置する部位（光軸ＬＡと交わる位置付近の部位）が他の部位に比べて明るくなり過ぎる、といった輝度ムラが生じることが懸念される。その点、本実施形態では、図７に示すように、ＬＥＤ基板１８におけるＬＥＤ１７の実装面１８ｃに指向性反射部２２を設けるようにしているから、拡散レンズ１９に当たってＬＥＤ基板１８側（実装面１８ｃ側）に戻された光を、実装面１８ｃに対して角度をなすよう傾斜する光反射面２２ａによってＬＥＤ１７側とは反対側に向けて傾斜角度に応じた角度付けをしつつ反射することができる。指向性反射部２２の光反射面２２ａにて反射された光は、再び拡散レンズ１９の光入射面１９ａに入射されることで、広角に屈折されつつ光出射面１９ｂから光学部材１５側に向けて出射されるか、拡散レンズ１９を介することなく直接光学部材１５側に向けて出射される。このように、指向性反射部２２によって裏側、つまり実装面１８ｃ側に戻された光を、指向性反射部２２の光反射面２２ａによってＬＥＤ１７側とは反対の外側に向けて広角に拡散させることができるので、拡散レンズ１９による光の拡散作用を補完することができる。これにより、光学部材１５に照射される光に偏りが生じ難くなるので、バックライト装置１２の出射光に輝度ムラが生じ難くなる。もって、液晶表示装置１０のさらなる薄型化を図りつつも、液晶パネル１１に表示される画像の表示品位を高く維持することができる。
【００５１】
しかも、指向性反射部２２は、図６に示すように、ＬＥＤ１７を取り囲む略円環状をなすとともに、シャーシ１４の底板１４ａの面内において行列状に並列配置された各ＬＥＤ１７毎に個別に設けられているから、各ＬＥＤ１７からの光を各ＬＥＤ１７の中心から放射方向にそれぞれ拡散させることができ、それにより隣り合うＬＥＤ１７間に生じ得る暗部を極めて生じ難くすることができるとともに輝度ムラの抑制に一層好適となる。さらには、指向性反射部２２は、図７に示すように、拡散レンズ１９とＬＥＤ基板１８（底板１４ａ）との間に介在する形で配されているから、ＬＥＤ１７から発せられて拡散レンズ１９に当たることで、実装面１８ｃ側に戻された光を効率的に外向きに反射させて拡散を図ることができ、もって輝度ムラの抑制により一層好適となる。その上、指向性反射部２２は、図６及び図７に示すように、実装面１８ｃの面内においてＬＥＤ１７と拡散レンズ１９のレンズ支持部１９ｄとの間に挟まれる配置とされており、レンズ支持部１９ｄよりもＬＥＤ１７の近くに配されている。拡散レンズ１９８によって実装面１８ｃ側に戻される光量は、実装面１８ｃの面内においてＬＥＤ１７に近づくほど多くなる傾向にあることから、指向性反射部２２が上記した配置とされることで、より多くの光を効率的に外向きに反射させて拡散を図ることができ、もって輝度ムラの抑制にさらに一層好適となる。また、ＬＥＤ１７から発せられた光は、図７に示すように、拡散レンズ１９以外にも、光学部材１５（特に光学シート１５ｂであるレンズシートや反射型偏光シート）によって実装面１８ｃ側に戻される場合があり、その場合でも上記した構成の指向性反射部２２によってＬＥＤ１７側とは反対の外側に向かうよう反射させることができる。
【００５２】
以上説明したように本実施形態のバックライト装置（照明装置）１２は、ＬＥＤ（光源）１７と、ＬＥＤ１７の周囲の少なくとも一部に設けられ、ＬＥＤ１７の設置面である実装面１８ｃに対して角度をなすよう傾斜する光反射面２２ａを有し、その光反射面２２ａがＬＥＤ１７側とは反対側を指向してなる指向性反射部２２と、を備える。
【００５３】
このようにすれば、ＬＥＤ１７から発せられた光には、そのまま当該バックライト装置１２の出射光として利用されるもの以外にも、例えば他の部材に当たって反射されるなどすることで、ＬＥＤ１７の周囲へと戻されるものが存在する。このＬＥＤ１７の周囲に戻された光は、ＬＥＤ１７の周囲の少なくとも一部に設けられた指向性反射部２２が有する光反射面２２ａによってＬＥＤ１７の設置面である実装面１８ｃに対して光反射面２２ａが傾斜した角度に応じた角度付けがなされつつＬＥＤ１７側とは反対側に向けて反射されて、当該バックライト装置１２の出射光として利用される。これにより、上記した指向性反射部２２による反射光とＬＥＤ１７からの直接光とを利用した当該バックライト装置１２の出射光に輝度ムラが生じ難くなる。
【００５４】
また、光を外部へと出射させる光出射部１４ｂと、ＬＥＤ１７に対して光出射部１４ｂ側とは反対側に配されるとともにＬＥＤ１７の設置面である実装面１８ｃに沿って延在する底板１４ａとを有するシャーシ１４が備えられている。このようにすれば、ＬＥＤ１７から発せられた光は、直接または指向性反射部２２の光反射面２２ａにて反射されることでシャーシ１４の光出射部１４ｂに達し、そこから外部へと出射される。ここで、底板１４ａから光出射部１４ｂまでの距離が短くなるほど、光出射部１４ｂからの出射光には輝度ムラが生じ易くなる傾向にあるものの、指向性反射部２２による反射光が角度付けされつつＬＥＤ１７側とは反対側に向かって進行することで輝度ムラが抑制されているから、当該バックライト装置１２の薄型化を図る上で好適である。
【００５５】
また、指向性反射部２２は、ＬＥＤ１７を取り囲む環状をなしている。このようにすれば、指向性反射部２２の光反射面２２ａによって反射された光は、ＬＥＤ１７側とは反対側に向けて放射状に広がるよう拡散されるから、シャーシ１４の光出射部１４ｂからの出射光に一層輝度ムラが生じ難くなる。
【００５６】
また、ＬＥＤ１７は、底板１４ａの面内において複数ずつ行列状に並列する形で配されており、指向性反射部２２は、複数のＬＥＤ１７毎に個別に設けられている。このようにすれば、底板１４ａの面内において複数ずつ行列状に並列する形で配された各ＬＥＤ１７から発せられた光の一部が、各ＬＥＤ１７毎に個別に設けられた各指向性反射部２２によって反射されることで、隣り合うＬＥＤ１７間に暗部が生じ難くなり、光出射部１４ｂからの出射光により一層輝度ムラが生じ難くなる。
【００５７】
また、ＬＥＤ１７を光出射部１４ｂ側から覆う形で配されるとともにＬＥＤ１７からの光に光学作用を付与してその光を出射させる光学素子である拡散レンズ１９が備えられており、指向性反射部２２は、底板１４ａと光学素子である拡散レンズ１９との間に介在する形で配されている。このようにすれば、ＬＥＤ１７を点灯させると、ＬＥＤ１７をその光出射側から覆う形で配される光学素子である拡散レンズ１９によってＬＥＤ１７からの光に光学作用が付与されてから光出射部１４ｂへと出射される。ＬＥＤ１７からの光には、光学素子である拡散レンズ１９にて反射されてＬＥＤ１７の周囲に戻されるものも存在しているが、その光を底板１４ａと光学素子である拡散レンズ１９との間に介在する形で配される指向性反射部２２によって反射させて、その反射光を角度付けしつつＬＥＤ１７側とは反対側に向かって進行させることができるから、当該バックライト装置１２の出射光に輝度ムラが生じ難いものとされる。
【００５８】
また、光学素子である拡散レンズ１９とＬＥＤ１７の設置面である実装面１８ｃとの間には、光学素子である拡散レンズ１９をＬＥＤ１７の設置面である実装面１８ｃから光出射部１４ｂ側に離れた位置に支持するレンズ支持部（光学素子支持部）１９ｄが光学素子である拡散レンズ１９の周方向に沿って設けられており、指向性反射部２２は、ＬＥＤ１７とレンズ支持部１９ｄとの間に位置して配されている。このようにすれば、レンズ支持部１９ｄによって光学素子である拡散レンズ１９をＬＥＤ１７の設置面である実装面１８ｃから光出射部１４ｂ側に離れた位置に支持することができるから、光学素子である拡散レンズ１９の光学的機能を十分に発揮させることができる。その上で、指向性反射部２２をＬＥＤ１７とレンズ支持部１９ｄとの間に位置する配置としているから、仮に指向性反射部２２をレンズ支持部１９ｄに対してＬＥＤ１７側とは反対側に配置した場合に比べると、ＬＥＤ１７から指向性反射部２２までの距離がより近くなる。これにより、ＬＥＤ１７から光を指向性反射部２２の光反射面２２ａによってより多く反射させることができ、もって輝度ムラの抑制に一層好適となる。
【００５９】
また、光学素子は、ＬＥＤ１７からの光を拡散させて出射させる拡散レンズ１９とされる。このようにすれば、ＬＥＤ１７からの光を、光学素子である拡散レンズ１９によって拡散させつつ出射させることができる。指向性反射部２２によって拡散レンズ１９からＬＥＤ１７の周囲に戻された光に角度付けしつつＬＥＤ１７側とは反対側に向かわせることができるのも相まって、当該バックライト装置１２の出射光に輝度ムラが一層生じ難くなる。
【００６０】
また、光出射部１４ｂを覆う形で配されるとともにＬＥＤ１７からの光に光学作用を付与してその光を出射させる光学部材１５が備えられている。このようにすれば、ＬＥＤ１７を点灯させると、光出射部１４ｂを覆う形で配される光学部材１５によってＬＥＤ１７からの光に光学作用が付与されてから外部へと出射される。ＬＥＤ１７からの光には、光学部材１５にて反射されてＬＥＤ１７の周囲に戻されるものも存在しているが、その光を指向性反射部２２によって反射することで、その反射光を角度付けしつつＬＥＤ１７側とは反対側に向かわせることができるから、当該バックライト装置１２の出射光に輝度ムラが生じ難いものとされる。
【００６１】
また、底板１４ａに沿って延在するとともにＬＥＤ１７が複数並んだ状態で実装されるＬＥＤ基板１８が備えられており、指向性反射部２２は、ＬＥＤ基板１８におけるＬＥＤ１７の実装面１８ｃに設けられている。このようにすれば、ＬＥＤ１７からの光にＬＥＤ基板１８におけるＬＥＤ１７の周囲に戻されるものが存在していても、その光を実装面１８ｃに設けられた指向性反射部２２によって反射させることで、その反射光を角度付けしつつＬＥＤ１７側とは反対側に向かわせることができ、もって当該バックライト装置１２の出射光に輝度ムラが生じ難くすることができる。
【００６２】
また、指向性反射部２２は、ＬＥＤ基板１８の実装面１８ｃから突出する形態とされる。このようにすれば、仮にＬＥＤ基板１８における実装面１８ｃを凹ませることで指向性反射部を形成した場合に比べると、ＬＥＤ基板１８の板厚が薄くなることが避けられるので、ＬＥＤ基板１８の強度が低下するのを防ぐことができる。
【００６３】
また、指向性反射部２２は、ＬＥＤ基板１８とは別部品とされていて実装面１８ｃに取り付けられている。このようにすれば、仮にＬＥＤ基板１８に指向性反射部２２を一体形成した場合には専用設計のＬＥＤ基板１８を製造する必要があるが、指向性反射部２２をＬＥＤ基板１８とは別部品とすれば、ＬＥＤ基板１８として汎用的なものを用いることが可能となり、それにより製造コストを低減することができる。また、指向性反射部２２に用いる材料などを自由に選択することができるので、例えば指向性反射部２２の光反射率を容易に高くすることが可能となる。
【００６４】
＜実施形態２＞
本発明の実施形態２を図８によって説明する。この実施形態２では、指向性反射部１２２の光反射面１２２ａに鏡面反射層２３を形成したものを示す。なお、上記した実施形態１と同様の構造、作用及び効果について重複する説明は省略する。
【００６５】
本実施形態に係る指向性反射部１２２の光反射面１２２ａには、図８に示すように、光を鏡面反射する鏡面反射層２３が形成されている。鏡面反射層２３は、例えば合成樹脂製の基材の表面に金属を蒸着させることでその表面を鏡面とした構成であり、指向性反射部１２２とは別部品でシート状またはフィルム状をなしている。鏡面反射層２３は、指向性反射部１２２の光反射面１２２ａの全周にわたって形成されており、光反射面１２２ａと同様に平面に視て略円環状をなしている。鏡面反射層２３が光反射面１２２ａに形成されることで、拡散レンズ１１９などから実装面１１８ｃ側に戻された光を鏡面反射することができ、それにより反射光に実装面１１８ｃに対して光反射面１２２ａがなす角度に応じた角度付けをより適切に行うことができる。もって、光反射面１２２ａによる反射光をより効率的にＬＥＤ１１７側とは反対側に向けて拡散させることができる。
【００６６】
以上説明したように本実施形態によれば、指向性反射部１２２の光反射面１２２ａには、光を鏡面反射させる鏡面反射層２３が形成されている。このようにすれば、指向性反射部１２２の光反射面１２２ａに形成した鏡面反射層２３によって光を鏡面反射させているので、仮に光反射面にて光を拡散反射させた場合に比べると、反射光をより適切に角度付けすることができ、それにより輝度ムラの抑制に一層好適となる。
【００６７】
＜実施形態３＞
本発明の実施形態３を図９によって説明する。この実施形態３では、指向性反射部２２２の光反射面２２２ａの断面形状を変更したものを示す。なお、上記した実施形態１と同様の構造、作用及び効果について重複する説明は省略する。
【００６８】
本実施形態に係る指向性反射部２２２の光反射面２２２ａは、図９に示すように、断面形状が内向きに引っ込む略弓形をなす曲面により構成されている。詳しくは、光反射面２２２ａは、その断面形状が指向性反射部２２２の頂点と実装面２１８ｃとを結んだ線よりも内側を通るよう内向き（実装面側２１８ｃ側）に窄んだ形状とされている。この光反射面２２２ａに対する接線は、ＬＥＤ基板２１８の実装面２１８ｃ及びＬＥＤ２１７の光軸ＬＡの双方に対して傾斜した傾斜面とされる。
【００６９】
＜実施形態４＞
本発明の実施形態４を図１０によって説明する。この実施形態４では、指向性反射部３２２の光反射面３２２ａの断面形状を変更したものを示す。なお、上記した実施形態１と同様の構造、作用及び効果について重複する説明は省略する。
【００７０】
本実施形態に係る指向性反射部３２２の光反射面３２２ａは、図１０に示すように、断面形状が外向きに膨らんだ略弓形をなす曲面により構成されている。詳しくは、光反射面３２２ａは、その断面形状が指向性反射部３２２の頂点と実装面３１８ｃとを結んだ線よりも外側を通るよう外向き（実装面側３１８ｃ側とは反対側）に膨出した形状とされている。この光反射面３２２ａに対する接線は、ＬＥＤ基板３１８の実装面３１８ｃ及びＬＥＤ３１７の光軸ＬＡの双方に対して傾斜した傾斜面とされる。
【００７１】
＜実施形態５＞
本発明の実施形態５を図１１によって説明する。この実施形態５では、指向性反射部４２２の第２光反射面４２２ｂの断面形状を変更したものを示す。なお、上記した実施形態１と同様の構造、作用及び効果について重複する説明は省略する。
【００７２】
本実施形態に係る指向性反射部４２２の第２光反射面４２２ｂは、図１１に示すように、断面形状がＬＥＤ４１７の光軸ＬＡに並行する真っ直ぐな面により構成されている。つまり、指向性反射部４２２は、断面形状がほぼ直角三角形とされる。第２光反射面４２２ｂは、ＬＥＤ４１７に対して正対する形で対向している。
【００７３】
＜実施形態６＞
本発明の実施形態６を図１２によって説明する。この実施形態６では、指向性反射部５２２の光反射面５２２ａの断面形状を変更したものを示す。なお、上記した実施形態１と同様の構造、作用及び効果について重複する説明は省略する。
【００７４】
本実施形態に係る指向性反射部５２２の光反射面５２２ａは、図１２に示すように、２段階の傾斜角度を有している。詳しくは、光反射面５２２ａは、ＬＥＤ基板５１８の実装面５１８ｃに対してなす角度が相対的に小さな第１傾斜面５２２ａ１と、上記角度が相対的に大きな第２傾斜面５２２ａ２とから構成されており、第１傾斜面５２２ａ１が相対的に低い位置（実装面５１８ｃ側）に、第２傾斜面５２２ａ２が相対的に高い位置（指向性反射部５２２の頂部側）にそれぞれ配されている。第２傾斜面５２２ａ２は、実装面５１８ｃに対する角度が第１傾斜面５２２ａ１よりも大きくなっているから、光をより広角に反射させることができる。その上で、第２傾斜面５２２ａ２は、第１傾斜面５２２ａ１よりも内側、つまりＬＥＤ５１７の近くに配されていて反射光量が相対的に多くなっているから、光をより効率的にＬＥＤ５１７側とは反対側に向けて反射させることができる。
【００７５】
＜実施形態７＞
本発明の実施形態７を図１３によって説明する。この実施形態７では、指向性反射部６２２の光反射面６２２ａの断面形状を変更したものを示す。なお、上記した実施形態１と同様の構造、作用及び効果について重複する説明は省略する。
【００７６】
本実施形態に係る指向性反射部６２２の光反射面６２２ａは、図１３に示すように、２段階の傾斜角度を有している。詳しくは、光反射面６２２ａは、ＬＥＤ基板６１８の実装面６１８ｃに対してなす角度が相対的に小さな第１傾斜面６２２ａ１と、上記角度が相対的に大きな第２傾斜面６２２ａ２とから構成されており、第１傾斜面６２２ａ１が相対的に高い位置（指向性反射部６２２の頂部側）に、第２傾斜面６２２ａ２が相対的に低い位置（実装面６１８ｃ側）にそれぞれ配されている。
【００７７】
＜実施形態８＞
本発明の実施形態８を図１４によって説明する。この実施形態８では、拡散レンズを省略したものを示す。なお、上記した実施形態１と同様の構造、作用及び効果について重複する説明は省略する。
【００７８】
本実施形態に係るＬＥＤ基板７１８には、図１４に示すように、拡散レンズが設けられていない構成とされる。実装面７１８ｃに設けられた指向性反射部７２２には、反射シート７２１が表側から被せられている。詳しくは、反射シート７２１の底部７２１ａには、ＬＥＤ７１７を挿通するＬＥＤ挿通孔７２１ｅが開口形成されており、そのＬＥＤ挿通孔７２１ａの孔縁部が指向性反射部７２２に被せられることで、光反射面７２２ａを構成している。このような構成のものでは、ＬＥＤ７１７から発せられた光は、そのまま表側へと出射されて図示しない光学部材（図７を参照）へと照射される。光学部材に達した光は、全てが透過されることはなく、一部については裏側に反射されて戻され、この戻された光を反射シート７２１によって反射することで再び光学部材側に立ち上げることができる。このとき、反射シート７２１の底部７２１ａの一部については、指向性反射部７２２上に被せられることでその光反射面７２２ａを構成しているので、光反射面７２２ａによる反射光に実装面７１８ｃに対する傾斜角度に応じた角度付けを行うことができ、それによりその反射光をＬＥＤ７１７側とは反対側に向けて拡散させることができる。
【００７９】
＜実施形態９＞
本発明の実施形態９を図１５から図１８によって説明する。この実施形態９では、バックライト装置８１２をエッジライト型に変更した場合を示す。なお、上記した実施形態１と同様の構造、作用及び効果について重複する説明は省略する。
【００８０】
本実施形態に係る液晶表示装置８１０は、図１５に示すように、液晶パネル８１１と、エッジライト型のバックライト装置８１２とをベゼル８１３などにより一体化した構成とされる。なお、液晶パネル８１１の構成は、上記した実施形態１と同様であるから、重複する説明は省略する。以下、エッジライト型のバックライト装置８１２の構成について説明する。
【００８１】
バックライト装置８１２は、図１５に示すように、表側（液晶パネル８１１側）に向けて開口する光出射部８１４ｂを有した略箱型をなすシャーシ８１４と、シャーシ８１４の光出射部８１４ｂを覆う形で配される複数の光学部材８１５とを備える。さらに、シャーシ８１４内には、光源であるＬＥＤ８１７（Light Emitting Diode：発光ダイオード）と、ＬＥＤ８１７が実装されたＬＥＤ基板８１８と、ＬＥＤ８１７からの光を導光して光学部材８１５（液晶パネル８１１）へと導く導光板２４と、導光板２４を表側から押さえるフレーム８１６とが備えられる。そして、このバックライト装置８１２は、その長辺側の両端部にＬＥＤ８１７を有するＬＥＤ基板８１８をそれぞれ備えるとともに、両ＬＥＤ基板８１８間に挟まれた中央側に導光板２４を配置してなる、いわゆるエッジライト型（サイドライト型）とされている。このように本実施形態に係るバックライト装置８１２は、エッジライト型であるから、実施形態１にて示した直下型のバックライト装置１２で用いていた拡散レンズ１９、基板保持部材２０、反射シート２１などが備えられていない。続いて、バックライト装置８１２の各構成部品について詳しく説明する。
【００８２】
シャーシ８１４は、金属製とされ、図１５及び図１６に示すように、液晶パネル８１１と同様に横長の方形状をなす底板８１４ａと、底板８１４ａの各辺の外端からそれぞれ立ち上がる側板８１４ｃとからなり、全体としては表側に向けて開口した浅い略箱型をなしている。シャーシ８１４（底板８１４ａ）は、その長辺方向がＸ軸方向（水平方向）と一致し、短辺方向がＹ軸方向（鉛直方向）と一致している。また、側板８１４ｃには、フレーム８１６及びベゼル８１３がねじ止め可能とされる。なお、光学部材８１５は、図１５に示すように、光学シート８１５ｂが３枚備えられている点を除いては、上記した実施形態１と同様であるから、重複する説明は省略する。
【００８３】
フレーム８１６は、図１５に示すように、導光板２４の外周端部に沿って延在する枠状（額縁状）に形成されており、導光板２４の外周端部をほぼ全周にわたって表側から押さえることが可能とされる。このフレーム８１６は、合成樹脂製とされるとともに、表面が例えば黒色を呈する形態とされることで、遮光性を有するものとされる。フレーム８１６のうち両長辺部分における裏側の面、つまり導光板２４及びＬＥＤ基板８１８（ＬＥＤ８１７）との対向面には、図１６に示すように、光を反射させる第１反射シート２５がそれぞれ取り付けられている。第１反射シート２５は、フレーム８１６の長辺部分におけるほぼ全長にわたって延在する大きさを有しており、導光板２４におけるＬＥＤ８１７側の端部に直接当接されるとともに導光板２４の上記端部とＬＥＤ基板８１８とを一括して表側から覆うものとされる。また、フレーム８１６は、液晶パネル８１１における外周端部を裏側から受けることができる。
【００８４】
ＬＥＤ８１７は、上記した実施形態１と同様の構成であるから、重複する説明は省略する。ＬＥＤ基板８１８は、図１５に示すように、シャーシ８１４の長辺方向（Ｘ軸方向、導光板２４における光入射面２４ｂの長手方向）に沿って延在する細長い板状をなすとともに、その主板面をＸ軸方向及びＺ軸方向に並行した姿勢、つまり液晶パネル８１１及び導光板２４（光学部材８１５）の板面と直交させた姿勢でシャーシ８１４内に収容されている。ＬＥＤ基板８１８は、導光板２４をその短辺方向（Ｙ軸方向）の両側方から挟み込む形で一対配されている。ＬＥＤ基板８１８の主板面であって内側、つまり導光板２４側を向いた面（導光板２４との対向面）には、上記した構成のＬＥＤ８１７が実装されている。ＬＥＤ８１７は、ＬＥＤ基板８１８の実装面８１８ｃにおいて、その長さ方向（Ｘ軸方向）に沿って複数が一列に（直線的に）並列配置されている。従って、ＬＥＤ８１７は、バックライト装置８１２における長辺側の両端部においてそれぞれ長辺方向に沿って複数ずつ並列配置されていると言える。各ＬＥＤ基板８１８は、ＬＥＤ８１７の実装面８１８ｃが互いに対向状をなす姿勢でシャーシ８１４内に収容されているので、両ＬＥＤ基板８１８にそれぞれ実装された各ＬＥＤ８１７の発光面が対向状をなすとともに、各ＬＥＤ８１７における光軸がＹ軸方向とほぼ一致する。
【００８５】
導光板２４は、屈折率が空気よりも十分に高く且つほぼ透明な（透光性に優れた）合成樹脂材料（例えばアクリルなど）からなる。導光板２４は、図１５に示すように、液晶パネル８１１及びシャーシ８１４と同様に平面に視て横長の方形状をなしており、その長辺方向がＸ軸方向と、短辺方向がＹ軸方向とそれぞれ一致している。導光板２４は、シャーシ８１４内において液晶パネル８１１及び光学部材８１５の直下位置に配されており、シャーシ８１４における長辺側の両端部に配された一対のＬＥＤ基板８１８間にＹ軸方向について挟み込まれる形で配されている。従って、ＬＥＤ８１７（ＬＥＤ基板８１８）と導光板２４との並び方向がＹ軸方向と一致するのに対して、光学部材８１５（液晶パネル８１１）と導光板２４との並び方向がＺ軸方向と一致しており、両並び方向が互いに直交するものとされる。そして、導光板２４は、ＬＥＤ８１７からＹ軸方向に向けて発せられた光を導入するとともに、その光を内部で伝播させつつ光学部材８１５側（Ｚ軸方向）へ向くよう立ち上げて出射させる機能を有する。
【００８６】
導光板２４の主面のうち、表側を向いた面が、図１６に示すように、内部の光を光学部材８１５及び液晶パネル８１１に向けて出射させる光出射面２４ａとなっている。導光板２４における主面に対して隣り合う外周端面のうち、Ｘ軸方向に沿って長手状をなす長辺側の両端面は、それぞれＬＥＤ８１７（ＬＥＤ基板８１８）と所定の間隔を空けて対向状をなしており、これらがＬＥＤ８１７から発せられた光が入射される光入射面２４ｂとなっている。光入射面２４ｂは、Ｘ軸方向及びＺ軸方向に沿って並行する面とされ、光出射面２４ａに対して略直交する面とされる。導光板２４における光出射面２４ａとは反対側の面２４ｃには、導光板２４内の光を反射して表側へ立ち上げることが可能な第２反射シート２６がその全域を覆う形で設けられている。第２反射シート２６は、平面に視てＬＥＤ基板８１８（ＬＥＤ８１７）と重畳する範囲にまで拡張されるとともに、表側の第１反射シート２５との間でＬＥＤ基板８１８（ＬＥＤ８１７）を挟み込む形で配されている。これにより、ＬＥＤ８１７からの光を両反射シート２５，２６間で繰り返し反射することで、光入射面２４ｂに対して効率的に入射させることができる。なお、導光板２４における光出射面２４ａまたはその反対側の面２４ｃの少なくともいずれか一方には、内部の光を反射させる反射部（図示せず）または内部の光を散乱させる散乱部（図示せず）が所定の面内分布を持つようパターニングされており、それにより光出射面２４ａからの出射光が面内において均一な分布となるよう制御されている。
【００８７】
このような構成のバックライト装置８１２におけるＬＥＤ基板８１８の実装面８１８ｃには、図１７に示すように、指向性反射部８２２が設けられている。指向性反射部８２２は、ＬＥＤ基板８１８の実装面８１８ｃにおいてＬＥＤ８１７に対して隣り合う位置、言い換えると隣り合うＬＥＤ８１７間に挟まれる位置に配されている。指向性反射部８２２は、実装面８１８ｃに対して傾斜する光反射面８２２ａを一対有しており、各光反射面８２２ａが対象となるＬＥＤ８１７側とは反対側を指向している。具体的には、一対の光反射面８２２ａのうち図１７に示す左側の光反射面８２２ａは、その左側に隣り合うＬＥＤ８１７側とは反対側、つまり右側を指向しているのに対し、同図右側の光反射面８２２ａは、その右側に隣り合うＬＥＤ８１７側とは反対側、つまり左側を指向している。指向性反射部８２２は、図１８に示すように、Ｚ軸方向についての寸法がＬＥＤ８１７よりも相対的に大きなものとされ、それによりより多くの光を反射することが可能とされている。この指向性反射部８２２は、導光板２４側から実装面８１８ｃ側に戻された光を光反射面８２２ａにより角度付けしつつ反射することで、その反射光をＸ軸方向（ＬＥＤ８１７の並列方向）についてＬＥＤ８１７から遠ざかる方向へと拡散させることができる。
【００８８】
＜他の実施形態＞
本発明は上記記述及び図面によって説明した実施形態に限定されるものではなく、例えば次のような実施形態も本発明の技術的範囲に含まれる。
（１）上記した各実施形態では、指向性反射部がＬＥＤを取り囲むよう平面に視て略円環状に形成された場合を示したが、それ以外にも例えば指向性反射部が平面に視て三角形または四角形の枠状（環状）に形成されたものも本発明に含まれる。
【００８９】
（２）上記した各実施形態では、指向性反射部がＬＥＤを取り囲むよう平面に視て略円環状に形成された場合を示したが、指向性反射部がＬＥＤの周囲において部分的に配されるような構成としたものも本発明に含まれる。その場合、指向性反射部の配置構成としては、例えばＬＥＤの周囲においてその周方向に沿って複数を間欠的に並んで配置することができる。
【００９０】
（３）上記した各実施形態では、指向性反射部が平面に視てＬＥＤと拡散レンズのレンズ支持部との間に挟まれる配置とされた場合を示したが、指向性反射部がレンズ支持部よりも外側に配置されたものも本発明に含まれる。
【００９１】
（４）上記した各実施形態では、指向性反射部が拡散レンズとシャーシの底板との間に介在する配置とされ、拡散レンズによって表側から全域にわたって覆われる構成とした場合を示したが、指向性反射部が拡散レンズによって部分的に表側から覆われる配置としたものや、指向性反射部が拡散レンズとは平面に視て重ならない配置としたものも本発明に含まれる。
【００９２】
（５）上記した実施形態２では、指向性反射部の光反射面に鏡面反射層を形成した場合を示したが、逆に光反射面に光を拡散反射させる拡散反射層（粗面など）を形成することも可能である。
【００９３】
（６）上記した実施形態６，７では、指向性反射部の光反射面が２段階の傾斜角度を有する構成のものを示したが、指向性反射部の光反射面が３段階以上の傾斜角度を有する構成としたものも本発明に含まれる。
【００９４】
（７）上記した各実施形態では、ＬＥＤ基板にＬＥＤ及び拡散レンズが一列に直線的に並んで配されるものを示したが、ＬＥＤ基板にＬＥＤ及び拡散レンズが行列状に複数ずつ並んで配される構成としたものも本発明に含まれる。その場合でも、ＬＥＤ基板をシャーシ内に行列状に複数ずつ並ぶよう配置することが可能である。
【００９５】
（８）上記した各実施形態以外にも、ＬＥＤ基板に実装するＬＥＤの数及びＬＥＤ基板の長さ寸法などは適宜に変更可能である。
【００９６】
（９）上記した各実施形態以外にも、シャーシに収容するＬＥＤ基板の本数、具体的にはＸ軸方向に沿って並ぶＬＥＤ基板の並列数、Ｙ軸方向に沿って並ぶＬＥＤ基板の並列数などは適宜に変更可能である。
【００９７】
（１０）上記した実施形態９では、ＬＥＤ基板（ＬＥＤ）が導光板における両長辺側の端部に一対配されるものを示したが、例えばＬＥＤ基板（ＬＥＤ）が導光板における両短辺側の端部に一対配されるものも本発明に含まれる。
【００９８】
（１１）上記した（１０）以外にも、ＬＥＤ基板（ＬＥＤ）を導光板における両長辺及び両短辺の各端部に対して一対ずつ配したものや、逆にＬＥＤ基板（ＬＥＤ）を導光板における一方の長辺または一方の短辺の端部に対してのみ１つ配したものも本発明に含まれる。
【００９９】
（１２）上記した各実施形態では、カラーフィルタの着色部を３色とした場合を示したが、赤色、緑色、青色の３色に黄色を加えて４色の着色部からなるカラーフィルタを備えたものにも本発明は適用可能である。
【０１００】
（１３）上記した各実施形態では、光源としてＬＥＤを用いたものを示したが、有機ＥＬなどの他の光源を用いることも可能である。
【０１０１】
（１４）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１０２】
（１５）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１０３】
（１６）上記した各実施形態では、表示パネルとして液晶パネルを用いた液晶表示装置を例示したが、他の種類の表示パネルを用いた表示装置にも本発明は適用可能である。
【０１０４】
（１７）上記した各実施形態では、チューナーを備えたテレビ受信装置を例示したが、チューナーを備えない表示装置にも本発明は適用可能である。
【符号の説明】
【０１０５】
１０，８１０…液晶表示装置（表示装置）、１１，８１１…液晶パネル（表示パネル）、１２，８１２…バックライト装置（照明装置）、１４，８１４…シャーシ、１４ａ，８１４ａ…底板、１４ｂ，８１４ｂ…光出射部、１５，８１５…光学部材、１７，１１７，２１７，３１７，４１７，５１７，７１７，８１７…ＬＥＤ（光源）、１８，２１８，３１８，５１８，６１８，７１８，８１８…ＬＥＤ基板（光源基板）、１８ｃ，１１８ｃ，２１８ｃ，３１８ｃ，５１８ｃ，６１８ｃ，７１８ｃ，８１８ｃ…実装面（設置面）、１９，１１９…拡散レンズ（光学素子）、１９ｄ…レンズ支持部（光学素子支持部）、２２，１２２，２２２，３２２，４２２，５２２，６２２，７２２，８２２…指向性反射部、２２ａ，１２２ａ，２２２ａ，３２２ａ，５２２ａ，６２２ａ，７２２ａ，８２２ａ…光反射面、２３…鏡面反射層、ＴＶ…テレビ受信装置
【図１】
2013143220.tif 000003
【図２】
2013143220.tif 000004
【図３】
2013143220.tif 000005
【図４】
2013143220.tif 000006
【図５】
2013143220.tif 000007
【図６】
2013143220.tif 000008
【図７】
2013143220.tif 000009
【図８】
2013143220.tif 000010
【図９】
2013143220.tif 000011
【図１０】
2013143220.tif 000012
【図１１】
2013143220.tif 000013
【図１２】
2013143220.tif 000014
【図１３】
2013143220.tif 000015
【図１４】
2013143220.tif 000016
【図１５】
2013143220.tif 000017
【図１６】
2013143220.tif 000018
【図１７】
2013143220.tif 000019
【図１８】
2013143220.tif 000020